(57)【特許請求の範囲】
【請求項１】
折版屋根が設けられた建物において、前記折版屋根の一部の山部が他の山部より異なる形状になされ、この形状の異なる山部の中に補強梁が設けられていることを特徴とする建物。
【請求項２】
折版屋根が設けられた建物において、前記折版屋根の一部の谷部が他の谷部より浅くなされ、この浅くなされた谷部の下方に、縦材の上端に横材が設けられた断面Ｔ字形長尺体の補強梁が設けられていることを特徴とする建物。
【請求項３】
折版屋根が設けられた建物において、前記折版屋根の一部の山部が他の山部より異なる形状になされ、この形状の異なる山部の下方に梁が設けられ、この梁の側面に板状長尺体の補強梁が取り付けられ、この補強梁の上側縁部が折版屋根の形状の異なる山部の中まで延在されていることを特徴とする建物。
【請求項４】
折版屋根が設けられた建物において、前記折版屋根の一部の谷部が他の谷部より浅くなされ、この浅くなされた谷部の下方に梁が設けられ、この梁の側面に、縦材の上端に横材が設けられた断面Ｔ字形長尺体の補強梁の縦材が取り付けられ、この補強梁の横材が谷部の下側近くに位置するまで縦材が延在されていることを特徴とする建物。
【請求項５】
柱と天井梁と床梁とを箱形に組み立てた骨格を有する建物ユニットの複数個が隣接して据え付けられ、最上階の建物ユニットの上に折版屋根が設けられたユニット建物であって、前記最上階の建物ユニットの天井梁の側面に板状長尺体の補強梁が取り付けられ、この補強梁の上方の折版屋根の山部が他の山部より異なる形状になされ、前記板状長尺体の補強梁の上側縁部が折版屋根の形状の異なる山部の中まで延在されていることを特徴とするユニット建物。
【請求項６】
柱と天井梁と床梁とを箱形に組み立てた骨格を有する建物ユニットの複数個が隣接して据え付けられ、最上階の建物ユニットの上に折版屋根が設けられたユニット建物であって、前記最上階の建物ユニットの天井梁の側面に、縦材の上端に横材が設けられた断面Ｔ字形長尺体の補強梁の縦材が取り付けられ、この補強梁の上方の折版屋根の谷部が他の谷部より浅くなされ、この補強梁の横材が谷部の下側近くに位置するまで縦材が延在されていることを特徴とするユニット建物。
【請求項７】
柱と天井梁と床梁とを箱形に組み立てた骨格を有する建物ユニットの複数個が隣接して据え付けられ、最上階の建物ユニットの上に折版屋根が設けられたユニット建物であって、前記最上階の建物ユニットの天井梁の側面に、縦材とこの縦材の上端に設けられた上向きの円弧状または斜め上方に開いた横材とからなる長尺体の補強梁の縦材が、折版屋根の山部の中に円弧状または斜め上方に開いた横材の先端部を挿入した状態にして、取り付けられていることを特徴とするユニット建物。
【請求項８】
前記最上階の建物ユニットが柱を省略した柱省略角部を有するものであり、前記ユニット建物がこの建物ユニットの複数個を柱省略角部を突き合わせて据え付けたものであり、前記補強梁が前記柱省略角部を通過する一方の天井梁から他方の天井梁に差し渡されて取り付けられていることを特徴とする請求項５乃至請求項７のいずれかの一に記載のユニット建物。
【請求項９】
前記折版屋根が、複数の折版屋根材とこの複数の折版屋根材を連結した折版連結材とからなり、この折版連結材の下方に天井梁が設けられ、この天井梁に補強梁が取り付けられていることを特徴する請求項５乃至請求項８のいずれかの一に記載のユニット建物。
【請求項１０】
柱と天井梁と床梁とを箱形に組み立てた骨格を有する建物ユニットを工場で製造し、この建物ユニットを施工現場で組み立てるユニット建物の施工方法であって、最上階の建物ユニットの天井梁の側面に、天井梁の背の高さより幅広の補強梁を、上側縁部を天井梁より上方に突出させた状態にして取り付け、この突出した補強梁の上方に、一部の山部が他の山部より異なる形状の折版屋根を、この形状の異なる山部の中に突出した補強梁の上側縁部を入れて、取り付けることを特徴とするユニット建物の施工方法。
【請求項１１】
柱と天井梁と床梁とを箱形に組み立てた骨格を有する建物ユニットを工場で製造し、この建物ユニットを施工現場で組み立てるユニット建物の施工方法であって、最上階の建物ユニットの天井梁の側面に、天井梁より背の高い縦材の上端に横材が設けられた断面Ｔ字形長尺体の補強梁の縦材を、横材を天井梁より上方に突出させた状態にして取り付け、この突出した補強材の上方に、一部の谷部が他の谷部より浅くなされた折版屋根を、この浅くなされた谷部の下側近傍に突出している断面Ｔ字形長尺体の横材を位置させて、取り付けることを特徴とするユニット建物の施工方法。
【発明の詳細な説明】
【０００１】
【発明の属する技術分野】
この発明は折版屋根が設けられた建物、ユニット建物およびその施工方法に関する。
【０００２】
【従来の技術】
折版屋根が設けられた建物は、柱と柱とに梁を架け渡して設け、この梁の上に折版屋根を設けたものである。
しかし、柱と柱との間が長い場合には、梁の強度を大きくする必要がある。
梁の強度を大きくする方法としては梁自体の強度を大きくする方法と、梁に補強梁を取り付ける方法とがあるが、後者の補強梁を取り付ける方法が柱と柱との間が短い場所に使用する強度の小さい梁と同じ梁を使用することができ、従って、両方の梁を大量生産することができ、梁が安価になるので好ましい。
又、柱と柱との間が広く、一本の梁では届き難いときには、梁を中間部で接続する必要があるが、かかる場合には、補強梁を両方の梁に差し渡して取り付けて連結している。
【０００３】
一方、ユニット建物は、運搬可能な一定の大きさの箱形の、且つ、内部、外部の仕上げられた建物ユニットと屋根ユニット・屋根パネルとを、予め、工場で製造し、この建物ユニットや屋根ユニット・屋根パネルの複数個を施工現場に運搬し、施工現場で組み立てて建物となすものであって、現場施工期間が短く、且つ、寸法精度の良い標準化された建物となる特徴があることから、近年、広く採用されている。尚、屋根パネルは工場で建物ユニットに取り付けられて施工現場に運搬されることもある。
【０００４】
このユニット建物に使用される建物ユニットとしては種々な構造のものが知られている。
例えば、特公昭６１−４２０６１号公報には、柱と床梁と天井梁とを箱形に組み立てた建物ユニットの骨格が記載されている。そして、この建物ユニットの骨格の相対する天井梁に天井野縁を差し渡し、この天井野縁の下面に天井材を取り付けて天井を形成し、相対する床梁に床小梁を差し渡し、この上に床根太を取り付け、この床根太の上に床材を取り付けて床を形成し、天井梁と床梁との間に間柱を取り付け、この間柱に外壁パネルや内壁パネルを取り付けて壁を形成して建物ユニットとなすのである。
【０００５】
かかるユニット建物では、各建物ユニットのコーナー部に必ず柱があり、結果として複数の建物ユニットのコーナー部を互いに突き合わせ配置した場所には必ず複数本の柱があるが、この柱に遮られることのない広く連続した居室空間を形成させたいときがある。
かかる要望を解決するために、特開平９−３１７０２１号公報に記載されている柱省略角部を有するユニット建物が知られている。
【０００６】
この柱省略角部を有するユニット建物は、柱省略角部に仮柱を設けた建物ユニットを製造し、この建物ユニットを柱省略角部を互いに突き合わせて据え付けた後、柱省略角部を通過する一方の建物ユニットの天井梁から他方の建物ユニットの天井梁に補強梁を差し渡し、この補強梁を挟んで両側の天井梁を連結した後、仮柱を外して広く連続した居室空間を形成するのである。
このように、建物やユニット建物では梁に補強梁を取り付けて補強することが多くある。従って、この補強梁は機械的強度の大きい程よい。
【０００７】
【発明が解決しようとする課題】
この補強梁の機械的強度を大きくする方法は種々あるが、機械的強度である撓みは高さの３乗に比例するし、曲げ強度は高さの２乗に比例するので、補強梁の背を高くすることによって、少ない材料で比較的安価に機械的強度を大きくすることができ好ましい。
【０００８】
このユニット建物の補強梁の背を高くする場合に、下階の建物ユニットの上に上階の建物ユニットを載せた場所では、下階の天井梁と上階の床梁の合計の高さとほぼ等しい補強梁を天井梁と床梁とに差し渡して取り付る等の方法で、補強梁の背を高くすることができるが、折版屋根を取り付ける最上階の建物ユニットの天井梁では、この天井梁の上に床梁がない。従って、天井梁に取り付ける補強梁の背を高くすることができない。
【０００９】
そこで、この最上階の建物ユニットの天井梁に折版屋根を取り付ける補強梁の背を高くしようと、補強梁を天井梁の下方まで延長すると、補強梁が下方から見えるようになり外観が悪くなるという問題がある。
かかる問題を解決する方法として、前記特開平９−３１７０２１号公報には、補強梁の梁本体部に張り出し部やリブを設けて非平面状にする方法が記載されているが、この方法で補強梁を補強しても、この補強梁の機械的強度が不十分で、更に機械的強度の大きな補強梁に対する要望が強い。
【００１０】
以上、ユニット建物の課題を述べたが、通常の建物でも同様な課題が存在する。
そこで、この発明の目的は、従来より機械的強度の大きい補強梁を取り付けた折版屋根の建物、ユニット建物およびその施工方法を提供することである。
【００１１】
【課題を解決するための手段】
本発明は上記目的を達成するためになしたものであって、請求項１記載の発明は、折版屋根が設けられた建物において、前記折版屋根の一部の山部が他の山部より異なる形状になされ、この形状の異なる山部の中に補強梁が設けられているものである。
【００１２】
請求項２記載の発明は、折版屋根が設けられた建物において、前記折版屋根の一部の谷部が他の谷部より浅くなされ、この浅くなされた谷部の下方に、縦材の上端に横材が設けられた断面Ｔ字形長尺体の補強梁が設けられているものである。
【００１３】
この請求項１記載の発明に使用する補強梁は形状の異なる山部の中にだけ取り付けるものでもよいし、請求項３記載のように、形状の異なる山部の中に取り付けられた補強梁の下側縁部を延在させて、この延在させた部分を山部の下方に設けられている梁に取り付けるものでもよい。
【００１４】
又、請求項２記載の発明に使用する補強梁も、同様に、浅くなされた谷部の下方にだけ取り付けるものでもよいし、請求項４記載のように、断面Ｔ字形長尺体の補強梁の縦材を下方に延在させ、この延在させた縦材を、浅くなされた谷部の下方に設けられている梁に取り付けるものでもよい。
【００１５】
請求項３記載の発明は、折版屋根が設けられた建物において、前記折版屋根の一部の山部が他の山部より異なる形状になされ、この形状の異なる山部の下方に梁が設けられ、この梁の側面に板状長尺体の補強梁が取り付けられ、この補強梁の上側縁部が折版屋根の形状の異なる山部の中まで延在されているものである。
【００１６】
請求項４記載の発明は、折版屋根が設けられた建物において、前記折版屋根の一部の谷部が他の谷部より浅くなされ、この浅くなされた谷部の下方に梁が設けられ、この梁の側面に、縦材の上端に横材が設けられた断面Ｔ字形長尺体の補強梁の縦材が取り付けられ、この補強梁の横材が谷部の下側近くに位置するまで縦材が延在されているものである。
【００１７】
この請求項３および請求項４記載の発明における梁とは、折版屋根材の下方に設けられている梁をいう。例えば、建物の天井梁の上に直接折版屋根材を取り付けた建物では、建物の天井梁をいい、折版屋根用の梁の上に折版屋根材を取り付けた建物では、この折版屋根用の梁をいう。
【００１８】
請求項５記載の発明は、柱と天井梁と床梁とを箱形に組み立てた骨格を有する建物ユニットの複数個が隣接して据え付けられ、最上階の建物ユニットの上に折版屋根が設けられたユニット建物であって、前記最上階の建物ユニットの天井梁の側面に板状長尺体の補強梁が取り付けられ、この補強梁の上方の折版屋根の山部が他の山部より異なる形状になされ、前記板状長尺体の補強梁の上側縁部が折版屋根の形状の異なる山部の中まで延在されているものである。
【００１９】
請求項６記載の発明は、柱と天井梁と床梁とを箱形に組み立てた骨格を有する建物ユニットの複数個が隣接して据え付けられ、最上階の建物ユニットの上に折版屋根が設けられたユニット建物であって、前記最上階の建物ユニットの天井梁の側面に、縦材の上端に横材が設けられた断面Ｔ字形長尺体の補強梁の縦材が取り付けられ、この補強梁の上方の折版屋根の谷部が他の谷部より浅くなされ、この補強梁の横材が谷部の下側近くに位置するまで縦材が延在されているものである。
【００２０】
請求項７記載の発明は、柱と天井梁と床梁とを箱形に組み立てた骨格を有する建物ユニットの複数個が隣接して据え付けられ、最上階の建物ユニットの上に折版屋根が設けられたユニット建物であって、前記最上階の建物ユニットの天井梁の側面に、縦材とこの縦材の上端に設けられた上向きの円弧状または斜め上方に開いた横材とからなる長尺体の補強梁の縦材が、折版屋根の山部の中に円弧状または斜め上方に開いた横材の先端部を挿入した状態にして、取り付けられているものである。
【００２１】
請求項８記載の発明は、請求項５乃至請求項７のいずれかの一に記載の発明に係り、前記最上階の建物ユニットが柱を省略した柱省略角部を有するものであり、前記ユニット建物がこの建物ユニットの複数個を柱省略角部を突き合わせて据え付けたものであり、前記補強梁が前記柱省略角部を通過する一方の天井梁から他方の天井梁に差し渡されて取り付けられているものである。
【００２２】
請求項９記載の発明は、請求項５乃至請求項８のいずれかの一に記載の発明に係り、前記折版屋根が、複数の折版屋根材とこの複数の折版屋根材を連結した折版連結材とからなり、この折版連結材の下方に天井梁が設けられ、この天井梁に補強梁が取り付けられているものである。
【００２３】
請求項１０記載の発明は、柱と天井梁と床梁とを箱形に組み立てた骨格を有する建物ユニットを工場で製造し、この建物ユニットを施工現場で組み立てるユニット建物の施工方法であって、最上階の建物ユニットの天井梁の側面に、天井梁の高さより幅広の補強梁を、上側縁部を天井梁より上方に突出させた状態にして取り付け、この突出した補強梁の上方に、一部の山部が他の山部より異なる形状の折版屋根を、この形状の異なる山部の中に突出した補強梁の上側縁部を入れて、取り付けるものである。
【００２４】
この請求項１、請求項３、請求項５および請求項１０記載の発明においては、折版屋根の一部の山部が他の山部より異なる形状になされているが、この山部の異なる形状としては、この中に挿入される補強梁の形状による。例えば、高さを高くして機械的強度を大きくする補強梁の場合では、この補強梁を挿入する山部の形状を他の山部のより高くすればよいし、縦材の上に幅の大きな横材を設けて機械的強度を大きくする補強梁の場合では、この補強梁を挿入する山部の形状を横方向に長い山部とすればよい。
【００２５】
請求項１１記載の発明は、柱と天井梁と床梁とを箱形に組み立てた骨格を有する建物ユニットを工場で製造し、この建物ユニットを施工現場で組み立てるユニット建物の施工方法であって、最上階の建物ユニットの天井梁の側面に、天井梁より高い縦材の上端に横材が設けられた断面Ｔ字形長尺体の補強梁の縦材を、横材を天井梁より上方に突出させた状態にして取り付け、この突出した補強材の上方に、一部の谷部が他の谷部より浅くなされた折版屋根を、この浅くなされた谷部の下側近傍に突出している断面Ｔ字形長尺体の横材を位置させて、取り付けるものである。
【００２６】
本発明に使用される補強梁は、補強梁の形状に成形したものでもよいし、複数の部品を重合したものでもよいし、板を折曲や溶接等の加工したものでもよい。
特に、板を加工したものが安価に製造できるので好ましい。
【００２７】
（作用）
請求項１記載の発明では、折版屋根の一部の山部が他の山部より異なる形状になされ、この形状の異なる山部の中に補強梁が設けられているから、この異なる山部の形状を機械的強度を大きくした補強梁の形状に適合する形状になすことにより、この機械的強度の大きい補強梁をこの異なる形状の山部の中に設けることができる。
【００２８】
例えば、背を高くして機械的強度を大きくした補強梁を設ける場合には、山部を高くし、縦材の上に取り付けた横材の幅を大きくして機械的強度を大きくした補強材を設ける場合には、山部の幅を大きくすればよい。
このように、折版屋根の一部の山部が他の山部より異なる形状になっているから、この異なる形状の山部の中に設ける補強梁の機械的強度を大きくすることができるし、この機械的強度の大きな補強梁を設けることによって梁の強度不足を補うことができる。
【００２９】
請求項２記載の発明では、折版屋根の一部の谷部が他の谷部より浅くなされ、この浅くなされた谷部の下方に、縦材の上端に横材が設けられた断面Ｔ字形長尺体の補強梁が設けられているから、浅くなされた谷部の下側にも、この浅くしただけ背を高くして、機械的強度を大きくした補強梁を設けることができる。従って、この補強梁を取り付けることによって梁の強度不足を補うことができる。
【００３０】
請求項３記載の発明では、折版屋根の一部の山部が他の山部より異なる形状になされているから、請求項１記載の発明と同様に、この異なる形状の山部の中に設ける補強梁の機械的強度を大きくすることができるし、この機械的強度の大きな補強梁を設けることによって梁の強度不足を補うことができる。
【００３１】
しかも、この形状の異なる山部の下方に梁が設けられ、この梁の側面に板状長尺体の補強梁が取り付けられ、この補強梁の上側縁部が折版屋根の形状の異なる山部の中まで延在されているから、補強梁の背の高さは梁の高さと折版屋根の山部の中まで延在された部分の合計にほぼ等しくなり背が高い。即ち、補強梁の機械的強度が大きい。従って、この補強梁を取り付けることによって建物の梁の機械的強度を大きく改善させることができる。
【００３２】
請求項４記載の発明では、折版屋根の一部の谷部が他の谷部より浅くなされているから、請求項２記載の発明と同様に、谷部に機械的強度の大きな補強梁を設けることができるし、この補強梁を取り付けることによって梁の強度不足を補うことができる。
【００３３】
しかも、梁の側面に、縦材の上端に横材が設けられた断面Ｔ字形長尺体の補強梁の縦材が取り付けられ、この補強梁の横材が谷部の下側近くに位置するまで縦材が延在されているから、補強梁の縦材の背の高さは梁の高さと浅くなされた谷部の下側近くに位置するまでの距離の合計にほぼ等しくなり背が高い。即ち、補強梁の機械的強度が大きい。従って、この補強梁を取り付けることによって建物の梁の機械的強度を大きく改善させることができる。
【００３４】
請求項５記載の発明では、最上階の建物ユニットの天井梁の側面に板状長尺体の補強梁が取り付けられ、この補強梁の上方の折版屋根の山部が他の山部より異なる形状になされ、前記板状長尺体の補強梁の上側縁部が折版屋根の形状の異なる山部の中まで延在されているから、請求項３記載の発明と同様に、板状長尺体の補強梁の背の高さは梁の高さと折版屋根の山部の中まで延在された部分の合計にほぼ等しくなり背が高い。即ち、補強梁の機械的強度が大きい。従って、この補強梁を取り付けることによって建物の梁の機械的強度を大きく改善させることができる。
【００３５】
しかも、この補強梁はユニット建物の天井梁に取り付けられているので、建物ユニットの複数個を工場等で製造し、この建物ユニットを施工現場で据え付け、折版屋根を設けるときに、建物ユニットの天井梁に補強梁を取り付ければよく、施工し易い。
【００３６】
請求項６記載の発明では、最上階の建物ユニットの天井梁の側面に、縦材の上端に横材が設けられた断面Ｔ字形長尺体の補強梁の縦材が取り付けられ、この補強梁の上方の折版屋根の谷部が他の谷部より浅くなされ、この補強梁の横材が谷部の下側近くに位置するまで縦材が延在されているから、請求項４記載の発明と同様に、補強梁の背の高さを梁の高さと浅くなされた谷部の下側までの距離の合計にほぼ等しい高さまで背が高くなり、補強梁の機械的強度を大きい。従って、この補強梁を取り付けることによってユニット建物の天井梁の機械的強度を大きく改善させることができる。
【００３７】
しかも、この補強梁は最上階のユニット建物の天井梁に取り付けられるので、建物ユニットの複数個を工場等で製造し、この建物ユニットを施工現場で据え付け、折版屋根を設けるときに、最上階の建物ユニットの天井梁に補強梁を取り付ければよく、施工し易い。
【００３８】
請求項７記載の発明では、最上階の建物ユニットの天井梁の側面に、縦材とこの縦材の上端に設けられた上向きの円弧状または斜め上方に開いた横材とからなる長尺体の補強梁の縦材が、折版屋根の山部の中に円弧状または斜め上方に開いた横材の先端部を挿入した状態にして、取り付けられている。即ち、補強梁を上記のように特殊な形状にすることにより、この補強梁の機械的強度を大きくすることができる。従って、この機械的強度の大きな補強梁を設けることによって、山部や谷部を特殊な形状にすることなくともユニット建物の天井梁を補強できる。
【００３９】
請求項８記載の発明では、請求項５乃至請求項７のいずれかの一に記載の発明に係るから、請求項５〜請求項７記載の発明と同様に、機械的強度の大きい補強梁を天井梁に取り付けることができるし、この補強梁を取り付けることによって最上階のユニット建物の天井梁の機械的強度を大きく改善させることができる。しかも、補強梁が前記柱省略角部を通過する一方の天井梁から他方の天井梁に差し渡されているから、柱省略角部では、建物ユニットの天井梁と隣の建物ユニットの天井梁とが機械的強度の大きい補強梁で連結され補強されている。従って、一般に、一方の天井梁と他方の天井梁との継ぎ目の機械的強度は小さいがこの機械的強度の小さい継ぎ目でも、撓んだり曲がることがない。
【００４０】
請求項９記載の発明では、請求項５乃至請求項８のいずれかの一に記載の発明に係るから、請求項５〜請求項８記載の発明と同様に、機械的強度の大きい補強梁を天井梁に設けることができるし、この補強梁を取り付けることよって最上階の建物ユニットの天井梁の機械的強度を大きく改善させることができる。
しかも、この請求項９記載の発明は、折版屋根が、複数の折版屋根材とこの複数の折版屋根材を連結した折版連結材とからなり、この折版連結材の下方に前記天井梁が設けられ、この天井梁に補強梁が取り付けられているから、施工し易い構造である。
【００４１】
即ち、折版屋根に取り付ける折版屋根材の幅は、通常、建物ユニットのモジュール寸法に基づいて決められ、折版屋根は折版屋根材を並べ、この折版屋根材を折版連結材で連結して設けることが多い。
そして、ユニット建物に屋根部分に折版屋根を設ける場合には、建物ユニットの上に端から端まで折版屋根を並べて設け、この建物ユニットの折版屋根材と隣の建物ユニットの折版屋根材とを折版連結材で連結すると、施工し易いので、通常はこの方法で折版屋根を設けることが多い。
【００４２】
このように施工すると、建物ユニットと隣の建物ユニットとの間で折版屋根材を折版連結材で連結することになる。そして、折版連結材の下方でこの建物ユニットの天井梁と隣の建物ユニットの天井梁とは対峙していて、この天井梁に取り付けられた補強梁は折版連結材の方向に突出する。
従って、この上方に突出している補強梁の上方で両方の建物ユニットに取り付けられている折版屋根材を折版連結材で連結すればよく、施工し易い。
【００４３】
更に、工場等で、建物ユニットに折版屋根材を取り付け、施工現場で建物ユニットを据え付けた後に補強梁を取り付け、この補強梁の上方で折版屋根材を折版連結材で連結して請求項９記載の構造にすることによって、現場施工工数が少なくすることもできる。
【００４４】
請求項１０記載の発明では、最上階の建物ユニットの天井梁の側面に、天井梁の背の高さより幅広の補強梁を、上側縁部を天井梁より上方に突出させた状態にして取り付け、この突出した補強梁の上方に、一部の山部が他の山部より異なる形状の折版屋根を、この形状の異なる山部の中に突出した補強梁の上側縁部を入れて、取り付けるものであるから、天井梁の背の高さより幅広の、即ち、機械的強度の大きい補強梁を簡単に取り付けることができる。しかも、このようにして補強梁を取り付けると、請求項５記載のユニット建物となる。
従って、請求項５記載のユニット建物と同様に、この補強梁を取り付けることによってユニット建物の梁の機械的強度を大きく改善させることができる。
【００４５】
請求項１１記載の発明では、最上階の建物ユニットの天井梁の側面に、天井梁より背の高い縦材の上端に横材が設けられた断面Ｔ字形長尺体の補強梁の縦材を、横材を天井梁より上方に突出させた状態にして取り付け、この突出した補強材の上方に、一部の谷部が他の谷部より浅くなされた折版屋根を、この浅くなされた谷部の下側近傍に突出している断面Ｔ字形長尺体の横材を位置させて、取り付けるものであるから、折版屋根の浅くなされた谷部に背の高い、即ち、機械的強度の大きい補強梁を簡単に取り付けることができる。しかも、このようにして補強梁を取り付けると、請求項６記載のユニット建物となる。
従って、請求項６記載のユニット建物と同様に、この補強梁を取り付けることによってユニット建物の梁の機械的強度を大きく改善させることができる。
【００４６】
【発明の実施の形態】
次に、本発明の実施の形態を示す。
（実施例１）
図１〜図６は本発明を柱省略角部を有するユニット建物に適用した一実施例を示すもので、図１（イ）はユニット建物を示す斜視説明図、（ロ）は（イ）のＡ−Ａ線に沿った断面を示す断面図、図２は図１のユニット建物の２階部分の建物ユニットの平面視配置図、図３は建物ユニットの骨格を示す斜視説明図、図４は柱省略角部を有する建物ユニットの骨格を示す斜視説明図、図５は柱省略角部を有する建物ユニットに補強梁を取り付けている状態を示す斜視説明図、図６は補強梁の斜視図である。
【００４７】
図１〜図６において、Ｕはユニット建物であり、このユニット建物Ｕは、図１および図２に示すように、基礎９の上に９個の建物ユニット１が据え付けられ、この９個の建物ユニット１の上に５個の建物ユニット１と４個の柱省略角を有する建物ユニット２が据え付けられ、この建物ユニット１と柱省略角部を有する建物ユニット２の上に折版屋根４が設けられたものである。
【００４８】
建物ユニット１は、図３に示すように、矩形状の四隅に配置した４本の柱１１と、この４本の柱１１の上端部を矩形状の辺に沿ってジョイント材１４を介して連結した天井梁１３と、この４本の柱１１の下端部を矩形状の辺に沿ってジョイント材１４を介して連結した床梁１２とからなる骨格を有し、この相対する天井梁１３、１３に天井野縁１７を差し渡し、この天井野縁１７の下面に天井材を取り付けて天井を形成し、相対する床梁１２、１２に床小梁１５を差し渡し、この床小梁１５の上に床根太１６を取り付け、この床根太１６の上に床材を取り付けて床を形成し、天井梁１３と床梁１２との間に間柱１９を取り付け、この間柱１９に壁パネルを取り付けて壁を形成したものであり、短辺方向の長さはトラックに載せることができるほぼ２４００ｍｍである。
そして、この建物ユニット１の長辺方向の長さはモジュール寸法（９００ｍｍ）を基準にした倍数（ほぼ３６００ｍｍ、ほぼ４５００ｍｍ、ほぼ５４００ｍｍ）である。
【００４９】
柱省略角部を有する建物ユニット２は、図４に示すように、矩形状の四隅に配置した３本の柱２１と上下にジョイント材３１、３２を仮固定した仮柱３と、この３本の柱２１の上端部に取り付けられたジョイント材２４や仮柱３に取り付けられたジョイント材３１を矩形状の辺に沿って連結した天井梁２３と、この２本の柱２１の下端部に取り付けられたジョイント材２４や仮柱３に取り付けられたジョイント材３２を矩形状の辺に沿って連結した床梁２２とからなる骨格を有し、この相対する天井梁２３、２３に天井野縁２７を差し渡し、この天井野縁２７の下面に天井材を取り付けて天井を形成し、相対する床梁２２、２２に床小梁２５を差し渡し、この床小梁２５の上に床根太２６取り付け、この床根太２６の上に床材を取り付けて床を形成し、天井梁２３と床梁２２との間に間柱２９を取り付け、この間柱２９に壁パネルを取り付けて壁を形成したものであり、短辺方向の長さも長辺方向の長さも建物ユニット１とほぼ同じである。
【００５０】
折版屋根４は、山部５１と谷部５２とが交互に設けられた折版屋根材５を、最上階の建物ユニット１や柱省略角部を有する建物ユニット２の上に取り付け、この折版屋根材５を折版連結材６で連結したものである。尚、この折版屋根材５の幅は建物ユニットのモジュール寸法であるほぼ９００ｍｍである。又、折版連結材６は山部が１つだけのものでもよいし、山部と谷部とからなるものであってもよいが、この実施例１では山部６１が１つだけのものを使用し、しかも、この山部６１の幅は折版屋根材５の山より幅が広くなっている。
【００５１】
７は、図６に示すように、縦材７１の上端に横材７２が設けられた断面Ｔ字形長尺体の補強梁であり、この補強梁７は、図５に示すように、建物ユニット２の柱省略角部を通過する短辺方向の一方の天井梁２３から他方の天井梁２３に差し渡して取り付けて、この天井梁２３を補強するものである。尚、この補強梁７の縦材７１の背の高さは、天井梁２３の背の高さと、この天井梁２３から天井梁２３に取り付けられた折版屋根材５を連結する折版連結材６の山部の中までの合計の距離にほぼ等しい長さをしているし、横材７２の幅は折版連結材６の山部６１の横方向の長さより若干短い長さをしている。即ち、この横材７２は折版屋根材５の山部の幅より大きい幅をしている。
【００５２】
次に、このユニット建物Ｕの施工方法を説明する。
工場で、図３に示す建物ユニット１の骨格を製造し、この建物ユニット１の骨格の相対する天井梁１３、１３に天井野縁１７を差し渡し、この天井野縁１７の下面に天井材を取り付けて天井を形成し、相対する床梁１２、１２に床小梁１５を差し渡し、この床小梁１５の上に床根太１６を取り付け、この床根太１６の上に床材を取り付けて床を形成し、天井梁１３と床梁１２との間に間柱１９を取り付け、この間柱１９に壁パネルを取り付けて壁を形成して建物ユニット１を製造する。
【００５３】
又、図４に示す建物ユニット２の骨格を製造し、この柱省略角部を有する建物ユニット２の骨格の相対する天井梁２３、２３に天井野縁２７を差し渡し、この天井野縁２７の下面に天井材を取り付けて天井を形成し、相対する床梁２２、２２に床小梁２５を差し渡し、この上に床根太２６を取り付け、この床根太２６の上に床材を取り付けて床を形成し、天井梁２３と床梁２２との間に間柱２９を取り付け、この間柱２９に壁パネルを取り付けて壁を形成して柱省略角部を有する建物ユニット２を製造する。
【００５４】
又、補強梁７、折版屋根材５、折版連結材６等を製造し、この建物ユニット１、柱省略角部を有する建物ユニット２、補強梁７、折版屋根材５、折版連結材６等を施工現場に運搬する。
【００５５】
施工現場では、予め設けている基礎９の上に、９個の建物ユニット１を据え付け、この上に、４個の柱省略角部を有する建物ユニット２を、長辺同士を対向させ、柱省略角部を突き合わせて据え付け、図５に示すように、一方の柱省略角部を有する建物ユニット２の短辺の天井梁２３が対向しているほぼ一直線状になっている隙間５８から柱省略角部を経て他方の柱省略角部を有する建物ユニット２の短辺の天井梁２３が対向している隙間５９に補強梁７の縦材７１を挿入し、この補強梁７の縦材７１を両側の天井梁２３で挟んだ状態にして、ボルト・ナットで補強梁７を天井梁２３に取り付ける。
【００５６】
すると、補強梁７の縦材７１の背の高さは、天井梁２３の背の高さと、この天井梁２３から天井梁２３に取り付けられた折版屋根材５を連結した折版連結材６の山部６１の中までの合計の距離にほぼ等しい長さをしているから、この補強梁７の上側縁部に設けられている横材７２は建物ユニット２の天井梁２３と隣の建物ユニット２の天井梁２３との間から上方に突出する。
【００５７】
その後、仮柱３をジョイント材３１、３２から取り外し、この周囲に５個の建物ユニット１を長辺同士や短辺同士を対向させて据え付けて２階を完成させる。その後、建物ユニット１や柱省略角部を有する建物ユニット２の上に、建物ユニット１や柱省略角部を有する建物ユニット２の長辺方向を折版屋根材５の幅方向にして、折版屋根材５を並べて取り付け、この折版屋根材５を折版連結材６で連結する。
【００５８】
すると、建物ユニット１や柱省略角部を有する建物ユニット２の短辺方向の縁部と折版屋根材５の縁部とがほぼ同じ位置になる。この建物ユニット１や柱省略角部を有する建物ユニット２の間も折版連結材６で連結する。
この際、柱省略角部を有する建物ユニット２と隣の柱省略角部を有する建物ユニット２との間では、補強梁７の上側縁部に設けられている横材７２が突出しているから、この上側縁部に設けられている横材７２を折版連結材６の山部６１の中に挿入しながら、折版連結材６で折版屋根材５を連結すると、図１（ロ）に示す構造となる。
最後に、各種仕上げを行うと、ユニット建物Ｕが完成する。
【００５９】
このようにして完成したユニット建物Ｕでは、この柱省略角部を有する建物ユニット２と、建物ユニット１等とをユニット建物Ｕに組み立てた後に、仮柱３をジョイント材３１、３２から外しているので、この仮柱３の部分に広く連続した居住空間を形成させることができる。
【００６０】
又、このユニット建物Ｕに使用する補強梁７は縦材７１の背の高さが天井梁２３の背の高さと、天井梁２３から天井梁２３に取り付けられた折版屋根材５を連結する折版連結材６の山部６１の中までの合計にほぼ等しい高さになっているし、補強梁７の横材２が幅が広くなっている折版連結材６の山部６１より若干小さいというように広い。従って、この補強梁７は機械的強度が極めて大きい。
【００６１】
そして、このユニット建物Ｕでは、ほぼ一直線状になっている柱省略角部を通過する一方の建物ユニット２の短辺の天井梁から他方の建物ユニット２の短辺の天井梁２３に機械的強度の大きい補強梁７が差し渡され、この補強梁７の縦材７１と両側の天井梁２３とが強固に連結されているから、柱省略角部では一方の天井梁２３と他方の天井梁２３とが補強梁７で連結されて機械的強度が大きく改善される。従って、最も機械的強度が比較的小さい連結部でも撓み難い。
【００６２】
（実施例２）
図７本発明の他の実施例を示すもので、（イ）〜（ニ）は、それぞれ別々の補強材を折版屋根に取り付けた状態の断面図、（ホ）および（ヘ）はそれぞれ別々の補強梁の断面図である。
【００６３】
図７には、それぞれ別々の補強梁の取付構造や補強梁を示している。従って、この補強梁の取付構造や補強梁を実施例１と比較しながら説明する。
即ち、（イ）に示す折版連結材６ａは２個の山部６１ａと、この２個の山部６１ａの間に設けられた谷部６２ａとからなり、この山部６１ａと谷部６２ａとは折版屋根材５ａの山部５１ａと谷部５２ａとほぼ同じ形状をしている。
【００６４】
補強梁７ａは平板状の縦材７１ａと、この上端に取り付けられた円弧状の横材７２ａとからなる特殊な形状をした長尺体である。
そして、天井梁２３ａに補強梁７ａの縦材７１ａが取り付けられ、横材７２ａが２個の山部６１ａに挿入されている。
【００６５】
このように、補強梁７ａに円弧状の横材７２ａが設けられていると、補強梁７ａが折版連結材６１ａの谷部６２ａの下方に取り付けられていても、補強梁７ａを山部６１ａの中まで深く延長させることができる。
このように補強梁７ａが特殊な形状をしていて機械的強度が大きいので、折版連結材６ａの山部６１ａと谷部６２ａとが折版屋根材５ａの山部５１ａと谷部５２ａとほぼ同じ形状をしていても、天井梁２３ａを補強することができる。
【００６６】
（ロ）に示す折版連結材６ｂは折版屋根材５ｂの山部５１ｂより高く、幅は実施例１とほぼ同じになっている。又、補強梁７ｂはこの高い折版連結材６ｂの下方まで縦材７１ｂが延長されている断面Ｔ字形の長尺体である。従って、補強梁７ｂの縦材７１ｂの背の高さは実施例１より高く、横材７２ｂはほぼ同じになっている。
このように折版連結材６ｂの背が高くなっているだけ、補強梁７ｂの背を高くすることができるので、実施例１の補強梁より更に機械的強度が大きくなっている。従って、補強梁７ｂを取り付けることにより天井梁２３ｂの機械的強度を大きく改善させることができる。
【００６７】
（ハ）に示す折版連結材６ｃは２個の山部６１ｃと、この２個の山部６１ｃの間に設けられた谷部６２ｃとからなり、この谷部６２ｃが折版屋根材５ｃの谷部５２ｃより浅くなされている。又、補強梁７ｃは、縦材７１ｃの上端に横材７２ｃが設けられている断面Ｔ字形長尺体である。この補強梁７ｃの高さは天井梁２３ｃの高さと浅くなされた谷部５２ｃの下側までの合計とほぼ等しい距離となっている。
そして、天井梁２３ｃに補強梁７ｃの縦材７１ｃが取り付けられている。
【００６８】
このようになっているから、補強梁７ｃの高さを天井梁２３ｃの高さと浅くなされた谷部６２ｃの下側までの合計の距離とほぼ等しく高くすることができ、補強梁７ｃの機械的強度が大きい。従って、この補強梁７ｃを取り付けることによって天井梁２３ｃの機械的強度を大きく改善させることができる。
【００６９】
（ニ）に示す折版連結材６ｄは２個の山部６１ｄと、この２個の山部６１ｄの間に設けられた谷部６２ｄとからなり、この山部６１ｄと谷部６２ｄとは折版屋根材５ｄの山部５１ｄと谷部５２ｄとほぼ同じ形状をしている。
補強梁７ｄは平板状の縦材７１ｄと、この上端に取り付けられた斜め上方に開いた横材７２ｄとからなる断面Ｙ字形という特殊な形状をした長尺体である。
そして、天井材２３ｄに補強梁７ｄの縦材７１ｄが取り付けられ、横材７２ｄが２個の山部６１ｄの中に挿入されている。
【００７０】
このように、補強梁７ｄに斜め上方に開いた横材７２ｄが設けられていると、補強梁７ｄが折版連結材６１ｄの谷部６２ｄの下方に取り付けられていても、補強梁７ｄを山部６１ｄの中まで深く延長させることができる。
このように補強梁７ｄが特殊な形状をしていて機械的強度が大きいので、折版連結材６ｄの山部６１ｄと谷部６２ｄとが折版屋根材５ａの山部５１ｄと谷部５２ｄとほぼ同じ形状をしていても、天井梁２３ｄを補強することができる。
【００７１】
（ホ）に示す補強梁７ｅは２個の断面Ｌ字形の長尺体７ｅ−１、７ｅ−２を溶接して断面Ｔ字形長尺体に成形したものである。
このように長尺体７ｅ−１、７ｅ−２を溶接することにより、単独の長尺体７ｅ−１、７ｅ−２の厚みが小さくとも機械的強度の大きな補強梁７ｅとすることができる。
【００７２】
（ヘ）に示す補強梁７ｆは１枚の板を折曲して断面Ｔ字形に成形した長尺体である。
このように１枚の板を断面Ｔ字形に成形することにより、厚みの小さい板でも機械的強度の大きな補強梁７ｆとすることができる。
【００７３】
【発明の効果】
請求項１記載の発明は、折版屋根の一部の山部が他の山部より異なる形状になされ、この形状の異なる山部の中に補強梁が設けられている構造をしているから、この折版屋根の異なる山部の中に設ける補強梁の機械的強度を大きくすることができるし、この機械的強度の大きい補強梁を取り付けることによって梁の強度不足を補うことができる。
【００７４】
請求項２記載の発明は、折版屋根の一部の谷部が他の谷部より浅くなされ、この浅くなされた谷部の下方に、縦材の上端に横材が設けられた断面Ｔ字形長尺体の補強梁が設けられている構造をしているから、浅くなされた谷部に背の高い従って機械的強度の大きい補強梁を設けることができるし、この補強梁を取り付けることによって梁の強度不足を補うことができる。
【００７５】
請求項３記載の発明は、折版屋根の一部の山部が他の山部より異なる形状になされ、この形状の異なる山部の下方に梁が設けられ、この梁の側面に板状長尺体の補強梁が取り付けられ、この補強梁の上側縁部が折版屋根の形状の異なる山部の中まで延長されている構造をしているから、請求項１記載の発明に使用する補強梁と同様に機械的強度を大きくすることができる上に、補強梁の高さを梁の高さと折版屋根の山部の中まで延長された部分の合計とほぼ等しくすることができ、補強梁の機械的強度を更に大きくすることができる。従って、この補強梁を取り付けることによって建物の梁の機械的強度を大きく改善させることができる。
【００７６】
請求項４記載の発明は、折版屋根の一部の谷部が他の谷部より浅くなされている構造をしているから、請求項２記載の発明に使用する補強梁と同様に機械的強度を大きくすることができる。
しかも、梁の側面に、縦材の上端に横材が設けられた断面Ｔ字形長尺体の補強梁の縦材が取り付けられている構造をしているから、補強梁の高さを梁の高さと浅くなされた谷部の下側までの距離の合計にほぼ等しくすることができ、補強梁の機械的強度を更に大きくすることができる。従って、この補強梁を取り付けることによって建物の梁の機械的強度を大きく改善させることができる。
【００７７】
請求項５記載の発明は、最上階の建物ユニットの天井梁の側面に板状長尺体の補強梁が取り付けられ、この補強梁の上方の折版屋根の山部が他の山部より異なる形状になされ、板状長尺体の補強梁の上側縁部が折版屋根の形状の異なる山部の中まで延長されている構造をしているから、請求項３記載の発明と同様に、この補強梁の機械的強度を大きくすることができる。従って、この補強梁を取り付けることによって建物の梁の機械的強度を大きく改善させることができる。
しかも、この補強梁はユニット建物の天井梁に取り付けられているので施工し易い。
【００７８】
請求項６記載の発明は、最上階の建物ユニットの天井梁の側面に、縦材の上端に横材が設けられた断面Ｔ字形長尺体の補強梁の縦材が取り付けられ、この補強梁の上方の折版屋根の谷部が他の谷部より浅くなされている構造をしているから、請求項４記載の発明と同様に、この補強梁の機械的強度を大きくすることができる。従って、この補強梁を取り付けることよってユニット建物の天井梁の機械的強度を大きく改善させることができる。
しかも、この補強梁はユニット建物の天井梁に取り付けられているので施工し易い。
【００７９】
請求項７記載の発明は、最上階の建物ユニットの天井梁の側面に、縦材とこの縦材の上端に設けられた上向きの円弧状または斜め上方に開いた横材とからなる長尺体の補強梁の縦材が、折版屋根の山部の中に円弧状または斜め上方に開いた横材の先端部を挿入した状態にして取り付けられている構造をしているから、この補強梁の機械的強度を特殊な形状にすることにより大きくすることができる。従って、この機械的強度の大きい補強梁を取り付けることによってユニット建物の天井梁の機械的強度を大きくすることができる。
【００８０】
請求項８記載の発明は、請求項５乃至請求項７のいずれかの一に記載の発明に係るから、請求項５〜請求項７記載の発明と同様に、機械的強度の大きい補強梁を設けることができるし、この補強梁を取り付けることによってユニット建物の天井梁の機械的強度を大きく改善させることができる。
【００８１】
しかも、建物ユニットが柱を省略した柱省略角部を有するものであり、前記ユニット建物がこの建物ユニットの複数個を柱省略角部を突き合わせて据え付けたものであり、前記補強梁が前記柱省略角部を通過する一方の天井梁から他方の天井梁に差し渡されている構造をしているから、柱省略角部では、建物ユニットの天井梁と隣の建物ユニットの天井梁とが機械的強度の大きい補強梁で連結され補強される。従って、機械的強度の小さい一方の天井梁と他方の天井梁との繋ぎ目でも撓んだり曲がることがない。
【００８２】
請求項９記載の発明では、請求項５乃至請求項８のいずれかの一に記載の発明に係るから、請求項５〜請求項８記載の発明と同様に、機械的強度の大きい補強梁を設けることができるし、この補強梁を取り付けることよって最上階のユニット建物の天井梁の機械的強度を大きく改善させることができる。
しかも、この請求項９記載の発明は、折版屋根が、複数の折版屋根材とこの複数の折版屋根材を連結した折版連結材とからなり、この折版連結材の下方に天井梁が設けられ、この天井梁に補強梁が取り付けられている構造をしているから、施工し易い構造である。
【００８３】
請求項１０記載の発明は、最上階の建物ユニットの天井梁の側面に、上側縁部を天井梁より上方に突出させて天井梁の背の高さより幅広の補強梁を取り付け、この突出した補強梁の上側縁部を折版屋根の形状の異なる山部の中に入れて折版屋根を取り付ける施工方法であるから、幅広の機械的強度の大きい補強梁を簡単に取り付けることができる。しかも、このようにして補強梁を取り付けると、請求項５記載のユニット建物となる。
従って、請求項５記載のユニット建物と同様に、この補強梁を取り付けることによって建物の梁の機械的強度を大きく改善させることができる。
【００８４】
請求項１１記載の発明では、最上階の建物ユニットの天井梁の側面に、横材を天井梁より上方に突出させた状態にして、天井梁より背の高い縦材の上端に横材が設けられた断面Ｔ字形の補強梁の縦材を取り付け、この突出している断面Ｔ字形長尺体の横材をこの浅くなされた谷部の下方に位置させて折版屋根を取り付ける施工方法であるから、機械的強度の大きい補強梁を簡単に取り付けることができる。しかも、このようにして補強梁を取り付けると、請求項６記載のユニット建物となる。
従って、請求項６記載のユニット建物と同様に、この補強梁を取り付けることによってユニット建物の天井梁の機械的強度を大きく改善させることができる。
【図面の簡単な説明】
【図１】本発明を柱省略角部を有するユニット建物に適用した一実施例を示すもので、（イ）はユニット建物を示す斜視説明図、（ロ）は（イ）のＡ−Ａ線に沿った断面を示す断面図である。
【図２】図１のユニット建物の２階部分の建物ユニットの平面視配置図である。
【図３】建物ユニットの骨格を示す斜視説明図である。
【図４】柱省略角部を有する建物ユニットの骨格を示す斜視説明図である。
【図５】柱省略角部を有する建物ユニットに補強梁を取り付けている状態を示す斜視説明図である。
【図６】補強梁の斜視図である。
【図７】図７本発明の他の実施例を示すもので、（イ）〜（ニ）は、補強材を折版屋根に取り付けた状態の断面図、（ホ）および（ヘ）は補強梁の断面図である。
【符号の説明】
Ｕ                        ユニット建物
１                        建物ユニット
２                        柱省略角部を有する建物ユニット
２２                      床梁
２３、２３ａ、２３ｂ、２３ｃ    天井梁
３                        仮柱
４                        折版屋根
５                        折版屋根材
６、６ａ、６ｂ、６ｃ、６ｄ        折版連結材
６１、６１ａ、６１ｃ、６１ｄ      山部
６２ａ、６２ｃ、６２ｄ            谷部
７、７ａ、７ｂ、７ｃ、７ｄ、７ｅ、７ｆ    補強梁
７１、７１ａ、７２ｂ、７１ｃ、７１ｄ      縦材
７２、７２ａ、７２ｃ、７２ｄ      横材
【図１】
0003571937.tif 000002
【図２】
0003571937.tif 000003
【図３】
0003571937.tif 000004
【図４】
0003571937.tif 000005
【図５】
0003571937.tif 000006
【図６】
0003571937.tif 000007
【図７】
0003571937.tif 000008